(57)【要約】【課題】簡単な構成でありながら、容易にコアに装着することができるインシュレータ、およびそのインシュレータを用いたステータ、ブラシレスモータを提供すること。【解決手段】第１インシュレータ部材１００の環状被覆部１０２の周方向端部の連結回動部１０３には、連結凸部１０４が形成されている。連結凸部１０４は、分割コア環状部１１の径方向幅の中心よりも外周側に円弧中心をもつ円弧面である凸部円弧面１０５と２つの平面１０６をもつ扇状に構成されている。凸部円弧面１０５は半円弧未満の円弧から形成されている。連結凸部１０４の突出方向は軸方向分割コア側となっている。また、凸部円弧面１０５上の連結凸部１０４の突出方向端部には凸部円弧面１０５を形成する円弧の外周方向に突出する鉤凸部１０７を備えている。【選択図】      図１
2006115685.tif 000002
【特許請求の範囲】
【請求項１】
環状部と該環状部から径方向内側に延びるティース部とを持つコアを周方向にティース部毎に分割した分割コアに装着されるインシュレータであって、
前記ティース部を覆うコアティース被覆部と、
前記コアティース被覆部から前記環状部に沿って延びる環状被覆部と、
前記インシュレータとそのインシュレータに隣接する他の前記インシュレータとの相対回動を可能に連結する連結回動部と、を備え、
前記連結回動部は、前記環状被覆部の周方向端部に備えられた軸方向に突出する連結凸部、または、軸方向に窪み連結凸部と嵌合する軸方向に窪む連結凹部を備え、前記環状部の径方向幅中心より外径側に回動中心を有する
ことを特徴とするインシュレータ。
【請求項２】
請求項１に記載のインシュレータにおいて、
前記連結凸部又は前記連結凹部は、隣接するインシュレータに備えられた連結凹部又は連結凸部との回動を案内する回動案内面を備える
ことを特徴とするインシュレータ。
【請求項３】
請求項２に記載のインシュレータにおいて、
前記回動案内面は、前記回動中心を中心とした円弧面状に形成され
前記回動案内面は、少なくとも前記回動中心から前記環状被覆部の径方向外周までの距離よりも大きな半径を備える円弧から形成される
ことを特徴とするインシュレータ。
【請求項４】
請求項２または３に記載のインシュレータにおいて、
前記回動案内面は半円弧未満の円弧面である
ことを特徴とするインシュレータ。
【請求項５】
請求項２〜４のいずれか１項に記載のインシュレータにおいて、
前記連結凸部は、前記回動案内面の軸方向に沿った方向の一部に、前記連結凸部の突出方向と直交する方向に突出する鉤凸部を備え、
前記連結凹部は、前記鉤凸部に応じた形状を備えた軸方向に延びる溝である鉤凹部を備える
ことを特徴とするインシュレータ。
【請求項６】
請求項５に記載のインシュレータにおいて、
前記鉤凸部は、前記連結凸部の前記回動案内面上に形成され、前記回動中心と前記環状部を形成する円弧の中心とを結ぶ線上以外にその突出方向端部を有する
ことを特徴とするインシュレータ。
【請求項７】
請求項５〜６のいずれか１項に記載のインシュレータにおいて、
前記鉤凹部は、前記連結凹部の前記回動案内面上に形成され、前記回動中心と前記環状部とを形成する円弧の中心を結ぶ線上以外にその底を有する
ことを特徴とするインシュレータ。
【請求項８】
請求項１〜７のいずれか１項に記載のインシュレータにおいて、
前記連結凸部は、前記環状被覆部から前記分割コア側に向けて突出する
ことを特徴とするインシュレータ。
【請求項９】
請求項１から８のいずれか１項に記載のインシュレータを備えたステータ。
【請求項１０】
請求項１〜８のいずれかに１項に記載のインシュレータを備えたモータ。
【発明の詳細な説明】
【技術分野】
【０００１】
本発明は回転電機のコアと巻線とを絶縁するインシュレータ、及びそのインシュレータを備えたステータ、ブラシレスモータに関する。
【背景技術】
【０００２】
従来、ブラシレスモータ等におけるステータは、コア（ステータコア）のティース部に巻線が巻回されてなる。詳しくは、コアは、放射状に設けられる複数のティース部と各ティース部を径方向外側で連結する環状部とを備え、そのティース部にインシュレータを介して巻線が巻装されることになる。このようなコアとしては、周方向に（ティース部毎に）分割された形状で互いに回動が許容される複数の分割コアから構成されるものがある。このようなステータでは、分割コアを環状とする前に、即ちティース部同士の間隔を広げた状態で巻線を巻装することで、隣り合うティース部が邪魔になることなく、巻線を容易に巻装することができる。
【０００３】
そして、このようなステータ（コア）に設けられるインシュレータは、分割コアの回動を許容する、言い換えると分割コアと一体的に回動可能とされる必要がある。そして、このようなインシュレータとしては、分割コア毎に別体とされた複数のインシュレータ部材が、それぞれ分割コアに装着されてインシュレータを構成するものがある（例えば、特許文献１参照）。
【特許文献１】特開２００２−２４７７８８号公報
【発明の開示】
【発明が解決しようとする課題】
【０００４】
しかしながら、上記のような複数のインシュレータ部材をそれぞれ分割コア（コア）に対して装着することは組み付け工数が多くなり面倒であるという問題がある。このことは、組み付け時間を増大させるとともに、組み付けコストを増大させる原因となる。また、巻線を巻装するために分割コアを回動するため、製造時に分割コア同士の連結が維持されていないと円滑な製造を行うことができない。
【０００５】
本発明は、上記問題を解決するためになされたものであって、その目的は、簡単な構成としながら、容易にコアに装着することができるとともに、巻線の巻装が容易であるインシュレータおよびそのインシュレータを用いたステータ、ブラシレスモータを提供することにある。
【課題を解決するための手段】
【０００６】
上記課題を解決するため、請求項１に記載の発明は、環状部と該環状部から径方向内側に延びるティース部とを持つコアを周方向にティース部毎に分割した分割コアに装着されるインシュレータであって、前記ティース部を覆うコアティース被覆部と、前記コアティース被覆部から前記環状部に沿って延びる環状被覆部と、前記インシュレータとそのインシュレータに隣接する他の前記インシュレータとの相対回動を可能に連結する連結回動部と、を備え、前記連結回動部は、前記環状被覆部の周方向端部に備えられた軸方向に突出する連結凸部、または、軸方向に窪み連結凸部と嵌合する軸方向に窪む連結凹部を備え、前記分割コア環状部の径方向幅中心より外径側に回動中心を有する。
【０００７】
請求項２に記載の発明は、請求項１に記載のインシュレータにおいて、前記連結凸部又は前記連結凹部は、隣接するインシュレータに備えられた連結凹部又は連結凸部との回動を案内する回動案内面を備える。
【０００８】
請求項３に記載の発明は、請求項２に記載のインシュレータにおいて、前記回動案内面は、前記回動中心を中心とした円弧面状に形成され前記回動案内面は、少なくとも前記回動中心から前記環状被覆部の径方向外周までの距離よりも大きな半径を備える円弧から形成される。
【０００９】
請求項４に記載の発明は、請求項２または３に記載のインシュレータにおいて、前記回動案内面は半円弧未満の円弧面である。
請求項５に記載の発明は、請求項２〜４のいずれか１項に記載のインシュレータにおいて、前記連結凸部は、前記回動案内面の軸方向に沿った方向の一部に、前記連結凸部の突出方向と直交する方向に突出する鉤凸部を備え、前記連結凹部は、前記鉤凸部に応じた形状を備えた軸方向に延びる溝である鉤凹部を備える。
【００１０】
請求項６に記載の発明は、請求項５に記載のインシュレータにおいて、前記鉤凸部は、前記連結凸部の前記回動案内面上に形成され、前記回動中心と前記環状部を形成する円弧の中心とを結ぶ線上以外にその突出方向端部を有する。
【００１１】
請求項７に記載の発明は、請求項５〜６のいずれか１項に記載のインシュレータにおいて、前記鉤凹部は、前記連結凹部の前記回動案内面上に形成され、前記回動中心と前記環状部とを形成する円弧の中心を結ぶ線上以外にその底を有する。
【００１２】
請求項８に記載の発明は、請求項１〜７のいずれか１項に記載のインシュレータにおいて、前記連結凸部は、前記環状被覆部から前記分割コア側に向けて突出する。
請求項９に記載の発明は、請求項１〜８のいずれか１項に記載のインシュレータを備えたステータ。
【００１３】
請求項１０に記載の発明は、請求項１〜８のいずれかに１項に記載のインシュレータを備えたモータ。
（作用）
請求項１に記載の発明によれば、軸方向に突出した回動軸を備えることができる。回動軸によって連結されることにより、複数の分割コアに対して同時に装着させることが容易になる。また、回動軸を備えることによって、ティース部の突出方向の相対角度を変化させることができる。よって、ティース部先端を径方向内側に向け分割コアを円環状とした完成形のステータ状態のときよりも巻線の巻装されるティース部間の距離を広くすることが可能となり、巻線の巻装が容易となる。また、連結回動部に連結凸部又は連結凹部が形成されているため、回動軸とするための新たな部材を必要としない。よって、製造工程を複雑にすることなく回動軸を備えることが可能となる。また、回動中心を分割コア環状部の径方向幅中心より外側に配設することによって、回動中心からティース部の中心線までの距離は長くなる。よって、各分割コアのティース部の中心線が平行になるように配列したとき、隣接する分割コア同士のティース部の距離が大きくなり巻線の巻装がさらに容易となる。
【００１４】
請求項２に記載の発明によれば、回動案内面によって連結凸部及び連結凹部の径方向および周方向の変位が規制される。よって、回動中心が固定され、回動を容易にすることができる。
【００１５】
請求項３に記載の発明によれば、連結凸部を環状部に収まる円柱状に形成した場合よりもその断面積を大きくすることができる。よって、連結凸部の強度が増し、その折損を防止することができる。
【００１６】
請求項４に記載の発明によれば、連結凸部を形成する円弧の半径を許容される最大長とすることができる。よって、連結凸部の断面積が広くなるため連結凸部の強度が更に増し、その折損を防止することができる。
【００１７】
請求項５に記載の発明によれば、鉤凸部と鉤凹部とが同軸上に並ばない限り、鉤凸部は連結凹部を形成する部材に当接するため軸方向の相対変位が規制され挿入若しくは挿抜が不能となる。ここで、鉤凸部と鉤凹部とは回動案内面上に形成されているため、それらの位置はインシュレータの相対回動角度およびティース部の突出方向と関係している。よって、鉤凸部と鉤凹部とが同軸上に並ばない限り、連結回動部の連結は維持され、インシュレータの配列状態の変更が容易となり、巻線の巻装を容易とすることができる。
【００１８】
請求項６に記載の発明によれば、連結凸部の回動案内面上に環状被覆部の径方向を除く方向に突出する鉤凸部を備えることができる。環状被覆部の内周側には巻線の巻装されるティース部があり、また、その外周側にはハウジングに当接しているため、連結凸部および鉤凸部の径方向幅は、環状被覆部の径方向幅に収まる必要がある。よって、連結凸部と鉤凸部との径方向幅は制限されているため、鉤凸部を径方向に突出させると、連結凸部の径方向幅を小さくする必要がある。従って、本発明によれば、連結凸部の断面積を低減させることなく鉤凸部を備えることができる。
【００１９】
請求項７に記載の発明によれば、連結凹部の回動案内面上に環状被覆部の径方向を除く方向に窪む鉤凹部を備えることができる。環状被覆部の内周側には巻線の巻装されるティース部があり、また、その外周側にはハウジングに当接しているため、環状被覆部の径方向幅は制限されている。このため、鉤凹部を径方向に窪ませると、連結凹部を形成する部材の径方向の断面積が小さくなる。従って、本発明によれば、連結凹部を形成する部材の断面積を低減させることなく鉤凸部を備えることができる。よって、連結凹部に強度を備えることが可能となり、折損する恐れを低減することができる。
【００２０】
請求項８に記載の発明によれば、組み付け後、連結凸部は連結凹部およびコア（分割コア）に囲まれる。よって、運転時に折損した場合でも、折損片が離脱する恐れを低減することができる。また、他の部材等とが接触することを抑制することが可能となり、連結凸部の折損する恐れを低減することができる。
【００２１】
請求項９に記載の発明によれば、簡単な構成としながら、容易にコアに装着することができるとともに、巻線の巻装が容易であり、連結部の強度の高いインシュレータを備えたステータを得ることができる。
【００２２】
請求項１０に記載の発明によれば、簡単な構成としながら、容易にコアに装着することができるとともに、巻線の巻装が容易であり、連結部の強度の高いインシュレータを備えたモータを得ることができる。
【発明の効果】
【００２３】
本発明によれば、簡単な構成としながら、容易にコアに装着することができるとともに、巻線の巻装が容易であるインシュレータおよびそのインシュレータを備えたステータ、引いては、ブラシレスモータを得ることができる。
【発明を実施するための最良の形態】
【００２４】
以下、本発明を具体化した一実施形態を図１〜９に従って説明する。
図１は、本発明に係るインシュレータを用いたブラシレスモータを示す断面図である。ブラシレスモータ１はステータ２と、ステータ２と対向配置されるマグネット（図示略）を有したロータ３（図中、一点鎖線で示す）とを備える。ステータ２は、略円筒状のハウジング４内に配設され、インシュレータ５によって巻線６と絶縁されたコアとしてのステータコア７を備える。
【００２５】
ステータコア７は、放射状に設けられ巻線６が巻装される複数のティース部８と、その各ティース部８の径方向外側端部を連結する環状部９とを備える。尚、本実施の形態では、ティース部８は、等角度（３０度）間隔に１２個形成されている。
【００２６】
ステータコア７は、ティース部８を一つずつ備えた複数（本実施形態では１２個）の分割コア１０から構成されている。各分割コア１０同士は、ティース部８から周方向両側へ延びる弧状に形成された分割コア環状部１１の周方向端部において当接している。分割コア１０は分割コア環状部１１とティース部８とを備えた薄板状の部材を積層することによって形成されている。なお、積層される部材の分割コア環状部１１の端部は、環状部９上に円弧中心を持つ円弧凸状または円弧凹状に形成されている。そして、分割コア１０同士の回動は、これら端部に形成された円弧によって案内される。
【００２７】
インシュレータ５は、分割コア１０に対応した形状の複数（上記の分割コア１０に対応する数であり、本実施形態では１２個）のインシュレータ部材１２によって構成されている。そして、各インシュレータ部材１２は、個々の分割コア１０に対するインシュレータを構成する。なお、インシュレータ部材１２は絶縁性を有する樹脂材よりなる。
【００２８】
各インシュレータ部材１２は、隣接するインシュレータ部材１２同士が軸方向に重なる連結回動部１３を備えている。連結回動部１３の周方向端面１３ａは円弧状に形成されている。連結回動部１３は、回動軸としての軸方向に突出する凸部（連結凸部１０４）、もしくは、軸方向に窪む凹部（連結凹部２０４）を備える。これら凸部と凹部とを嵌合することによって、インシュレータ部材１２同士の連結が維持される。ここで、インシュレータ５を直線状に配列したとき、その両端のインシュレータ部材１２の周方向一端の連結回動部１３には凸部または凹部は形成されていない（図８参照）。つまり、直線状に配列された複数のインシュレータ部材１２において、両端に配置された２つのインシュレータ部材１２は凸部と凹部の嵌合による連結が不能となるように形成されている。
【００２９】
次に、連結回動部１３を備えたインシュレータ５としてのインシュレータ部材１２について詳しく説明する。
本実施形態のインシュレータ部材１２の連結回動部１３には軸方向に突出する凸部（連結凸部１０４）と軸方向に窪む凹部（連結凹部２０４）とが嵌合し、隣接するインシュレータ部材１２同士が連結される。つまり、インシュレータ５には、連結回動部１３上に軸方向に突出する連結凸部を有するインシュレータ部材１２と、連結回動部１３上に軸方向に窪む連結凹部を有するインシュレータ部材１２とがあり、両インシュレータ部材１２を周方向に交互に配設する。そして、隣接するインシュレータ部材１２同士の凸部と凹部とを嵌合することでインシュレータ部材１２を連結している。
【００３０】
以下、両インシュレータ部材１２を区別するために、連結凸部を有するインシュレータ部材１２を第１インシュレータ部材１００（図２及び図３参照）、連結凹部を有するインシュレータ部材１２を第２インシュレータ部材２００（図４及び図５参照）とする。
【００３１】
図２は、第１インシュレータ部材１００の平面図、図３は第１インシュレータ部材１００の斜視図である。
第１インシュレータ部材１００は、ティース部８（図１参照）を被覆するコアティース被覆部１０１と、そのコアティース被覆部１０１から周方向に延びる環状被覆部１０２とを備える。
【００３２】
コアティース被覆部１０１は、ティース部８（図１参照）の軸方向一方の面を被覆する面１０１ａと、ティース部８（図１参照）の周方向両側面を被覆する一対の面１０１ｂとを備えている。また、コアティース被覆部１０１の先端部は巻装される巻線の径方向内側へのはみ出しを規制するべく軸方向に突出している突出面１０１ｃを備える。
【００３３】
環状被覆部１０２は、分割コア環状部１１（図１参照）の内周側を被覆し周方向に延びる面である環状被覆面１０２ａと分割コア環状部１１（図１参照）の軸方向一方の面上に配設される端面部１０２ｂとを備えている。
【００３４】
端面部１０２ｂは、巻装される巻線６（図１参照）の径方向外側へのはみ出しを規制すべく軸方向に突出して形成され、その一部には巻線６（図１参照）を係止可能な係止溝１０２ｃが形成されている。
【００３５】
環状被覆部１０２の端面部１０２ｂの周方向端面１０２ｄには、連結回動部１０３が配設されている。さらに、環状被覆部１０２の端面部１０２ｂの周方向端面１０２ｄは周方向内側に窪む円弧面状に形成され、図１に示すように、隣接するインシュレータ部材１２（インシュレータ部材２００）の連結回動部１３（連結回動部２０３）の周方向端面１３ａ（周方向端面２０３ａ）と当接し互いの回動の妨げとならないようになっている。
【００３６】
連結回動部１０３は図１に示す環状部９の径方向幅内に形成され、その回動部端面１０３ａは周方向外側に脹らむ半円未満の円弧状に形成されている。さらに隣接する連結回動部１３（連結回動部２０３）（図１参照）と軸方向に当接する面である当接面１０３ｂ上には、連結凸部１０４が形成されている。
【００３７】
連結凸部１０４は、図２及び図３に示すように、連結回動部１０３の当接面１０３ｂから軸方向に突出している。連結凸部１０４は、分割コア環状部１１（図１参照）の径方向幅の中心よりも外周側に円弧中心をもつ円弧によって形成された曲面である回動案内面としての凸部円弧面１０５と、２つの平面１０６と、をもつ扇状に構成されている。
【００３８】
凸部円弧面１０５を形成する円弧は半円未満の円弧である。ここで、凸部円弧面１０５と連結回動部１０３の回動部端面１０３ａとは同一の円弧中心をもつ円弧面から形成される。また、この円弧中心は、図１に示すように分割コア１０に装着されたとき、分割コア環状部１１の端部を形成する円弧の中心と同軸上に配設される。
【００３９】
また、凸部円弧面１０５を形成する円弧の半径は、少なくとも円弧中心（分割コアの回動中心）から環状被覆部１０２の径方向外周までの距離よりも大きな半径に設定され、本実施形態では分割コア環状部１１（図１参照）の幅の略１／２となっている。すなわち、凸部円弧面１０５を形成する円弧は、例えば分割コア環状部１１（図１参照）に収まるように形成され分割コア環状部１１の径方向幅の中心よりも外周側に中心をもつ円柱の半径よりも大きな半径を有している。
【００４０】
連結凸部１０４は、連結回動部１０３の当接面１０３ｂから軸方向に突出しており、その突出方向はティース部８の周方向側面を被覆する面１０１ｂの延びる方向（図３において下方向）と同一である。
【００４１】
また、凸部円弧面１０５の軸方向端部には凸部円弧面１０５から垂直に突出する鉤凸部１０７を備えている。鉤凸部１０７は、環状部９（図１参照）を形成する円の径方向以外に向いて突出するとともに、環状部９の径方向幅内に収まるように形成されている。
【００４２】
図４は、第２インシュレータ部材２００の平面図、図５は第２インシュレータ部材２００の斜視図である。
第２インシュレータ部材２００は、ティース部８を被覆するコアティース被覆部２０１と、そのコアティース被覆部２０１から周方向に延びる環状被覆部２０２とを備える。
【００４３】
コアティース被覆部２０１は、ティース部８（図１参照）の軸方向一方の面を被覆する面２０１ａと、ティース部８（図１参照）の周方向両側面を被覆する一対の面２０１ｂとを備えている。また、コアティース被覆部２０１の先端部は巻装される巻線の径方向内側へのはみ出しを規制するべく軸方向に突出している突出面２０１ｃを備える。
【００４４】
環状被覆部２０２は、分割コア環状部１１の内周側を被覆し周方向に延びる面である環状被覆面２０２ａと分割コア環状部１１の軸方向一方の面上に配設される端面部２０２ｂとを備えている。
【００４５】
端面部２０２ｂは、巻装される巻線６（図１参照）の径方向外側へのはみ出しを規制すべく軸方向に突出して形成され、その一部には巻線６（図１参照）を係止可能な係止溝２０２ｃが形成されている。
【００４６】
環状被覆部２０２の端面部２０２ｂの周方向端面２０２ｄには、連結回動部２０３が配設されている。さらに、環状被覆部２０２の端面部２０２ｂの周方向端面２０２ｄは周方向内側に窪む円弧面状に形成され、図１に示すように、隣接するインシュレータ部材１２（インシュレータ部材１００）の連結回動部１３（連結回動部１０３）の周方向端面１３ａ（周方向端面１０３ａ）と当接し互いの回動の妨げとならないようになっている。
【００４７】
連結回動部２０３は、図１に示す環状部９の径方向幅内に形成され、その回動部端面２０３ａは周方向外側に脹らむ半円未満の円弧状に形成されている。さらに隣接する連結回動部１３（連結回動部１０３ａ）（図１参照）と軸方向に当接する面である当接面２０３ｂ上には、連結凹部２０４が形成されている。
【００４８】
連結凹部２０４は、図４及び図５に示すように、連結回動部２０３を軸方向に貫く孔である。連結凹部２０４は、分割コア環状部１１（図１参照）の径方向幅の中心よりも外周側に円弧中心をもつ円弧によって形成された曲面である回動案内面としての凹部円弧面２０５と平面２０６とをもつ扇状に構成されている。
【００４９】
ここで、凹部円弧面２０５と連結回動部２０３の回動部端面２０３ａとは同一の円弧中心をもつ円弧面から形成される。また、この円弧中心は、図１に示すように分割コア１０に装着されたとき、分割コア環状部１１の端部を形成する円弧の中心と同軸上に配設される。
【００５０】
凹部円弧面２０５上には軸方向に延びる溝である鉤凹部２０７が形成されている。鉤凹部２０７は、環状部９（図１参照）を形成する円の径方向以外に窪み、環状部９の径方向幅内に収まるように形成されている。なお、鉤凸部１０７（図２又は３参照）と鉤凹部２０７とは、連結凸部１０４と連結凹部２０４とが所定の相対角度のときにのみ同軸上に並ぶように形成されている。
【００５１】
第２インシュレータ部材２００の周方向端面２０２ｄは連結回動部２０３によって軸方向外側の面２０２ｅと内側の面２０２ｆとに分断されている。ここで、第１インシュレータ部材１００の連結回動部１０３の軸方向厚さは、第２インシュレータ部材２００の周方向端面２０２ｄの外側の面２０２ｅの軸方向幅よりも小さい。また、第１インシュレータ部材１００の連結凸部１０４から鉤凸部１０７を除いた軸方向長さは、第２インシュレータ部材２００の連結回動部２０３の軸方向厚さよりも小さい。さらに、連結凸部１０４上に形成される鉤凸部１０７の軸方向長さは、第２インシュレータ部材２００の周方向端面１０２ｄの内側の面２０２ｆの軸方向長さよりも短い。つまり、第１インシュレータ部材１００の連結回動部１０３と、第２インシュレータ部材２００の連結回動部２０３を軸方向に重ねたとき、その両方が周方向端面１０２ｄ，２０２ｄの軸方向幅内に収まるように形成されている。
【００５２】
これら第１及び第２インシュレータ部材１００，２００は、それぞれの連結回動部１０３，２０３に配設された連結凸部１０４と連結凹部２０４とを嵌合することによって連結され、インシュレータ５となる。
【００５３】
次に、前述した第１インシュレータ部材１００と第２インシュレータ部材２００との連結状態について示す。
図６は、嵌合直後のインシュレータ５である。嵌合時、第１及び第２インシュレータ部材１００，２００の周方向端部にそれぞれ配設された連結凸部１０４に形成された鉤凸部１０７と連結凹部２０４に形成された鉤凹部２０７とは同軸上に並んでいる。
【００５４】
図７は、図６における連結回動部１０３，２０３（図１においては１３）の断面であるＡ−Ａ断面の拡大図である。連結凸部１０４の凸部円弧面１０５上に形成された鉤凸部１０７の突出長さは、連結凹部２０４の凹部円弧面２０５に形成された鉤凹部２０７の深さより小さい。よって鉤凸部１０７が連結凹部２０４に当接することなく鉤凹部２０７を通り、連結凹部２０４に連結凸部１０４が挿入される。なお、第１及び第２インシュレータ部材１００，２００を連結した状態で分割コア１０（図１参照）に装着したとき、連結凸部１０４は、連結凹部２０４と分割コア１０とに囲まれることとなる。
【００５５】
図８は、図６の状態を経て連結されたインシュレータ５をコアティース被覆部１０１，２０１の突出方向が平行となるように並べた状態を示している。このとき、第１及び第２インシュレータ部材１００，２００は相対回動しているため、連結凸部１０４に形成された鉤凸部１０７と連結凹部２０４に形成された鉤凹部２０７とは同軸上に並ばない。よって、鉤凸部１０７と連結凹部２０４とが連結凸部１０４と連結凹部２０４との嵌合方向に垂直な面で当接するため、連結凸部１０４は連結凹部２０４から抜けることができない。よって、連結状態が維持される。
【００５６】
図９は、インシュレータ５のコアティース被覆部１０１，２０１を内周方向に配設したものである。この状態にしても前述した図８の時と同様、連結凸部１０４に形成された鉤凸部１０７と連結凹部２０４に形成された鉤凹部２０７とは同軸上に並ばない。よって、鉤凸部１０７と連結凹部２０４とが連結凸部１０４と連結凹部２０４と嵌合方向に垂直な面で当接するため、連結凸部１０４は連結凹部２０４から抜けることができない。
【００５７】
図６〜図９に示すインシュレータ５を分割コア１０（図１参照）に装着し、連結回動部１０３，２０３（図１においては１３）上の連結凸部１０４を回動軸として、図１に示すインシュレータ部材１２ひいては分割コア１０同士の相対角を変化させる。このとき、連結凸部１０４の凸部円弧面１０５と、連結凹部２０４の凹部円弧面２０５および分割コア環状部１１の円弧上に形成された端部によって回動が案内される。その後、巻線６を巻装するティース部８の突出方向端部の間隔を広くし（図８の状態）、巻線６を巻装する。
【００５８】
図１に示すように、前述したインシュレータ５（第１及び第２インシュレータ部材１００，２００）を用いてコア（分割コア１０）と巻線６とを絶縁することによって、巻線６の巻装が容易なステータコア、引いては、ブラシレスモータを得ることが可能となる。
【００５９】
上記したように、本実施形態によれば、以下の効果を有する。
（１）連結凸部１０４および連結凹部２０４を形成する円弧（凸部円弧面１０５，凹部円弧面２０５）の円弧中心を環状部径方向幅中心より外径側にすることによって、回動中心も外径側になる。よって、回動によりティース部８先端を径方向内側に向け分割コア１０を円環状とした完成形のステータ状態のときよりも分割コア同士の回動角を広くすることができる。また、回動中心が外径側にあるため、回動中心が内径側にあるものよりも、回動中心からティース部８の中心線までの距離が長くなる。よって、回動中心を中心として回動させ、各分割コアのティース部８の中心線が平行になるように配列したとき、隣接する分割コア同士のティース部８の距離が大きくなり、巻線の巻装がさらに容易となる。さらに、連結凸部１０４及び連結凹部２０４を形成する円弧を半円未満とすることによって、連結凸部１０４及び連結凹部２０４を形成する円弧面（凸部円弧面１０５，凹部円弧面２０５）の半径を環状部９（連結回動部１０３，２０３）の径方向幅と略同一にすることが可能となる。よって、連結凸部１０４の断面積を大きくすることができるため連結凸部１０４の強度が高くなり、製造時に連結凸部１０４の折損する恐れを低減することができる。
【００６０】
（２）連結凸部１０４に鉤凸部１０７を配設することによって、連結凸部１０４の嵌入方向（軸方向）に変位を与えようとしても、鉤凸部１０７と鉤凹部２０７とが同軸上に並ばない限り、連結凸部１０４と連結凹部２０４との嵌合は保持される。よって、巻線６の巻装時やコアを形成する際の配列変更時にインシュレータ部材１２もしくは分割コア１０同士の連結を維持しやすくなる。そのため、複数の分割コア１０に対して同時にインシュレータ部材１２を装着することが可能となり、製造が容易となる。
【００６１】
（３）鉤凸部１０７を環状部９（図１参照）を形成する円の径方向以外に向いて突出するとともに、環状部９の径方向幅内に収まるように形成することによって、連結凸部１０４の径方向幅に影響を与えることなく鉤凸部１０７を備えることができる。よって、連結凸部１０４に強度を変化させることなく、鉤凸部１０７を備えることができる。同様に、鉤凹部２０７を環状部９（図１参照）を形成する円の径方向以外に向いて窪ませることによって、連結凹部２０４を備える連結回動部２０３の径方向断面積を変化させることなく鉤凹部２０７を備えることができる。よって、連結凹部２０４を備える連結回動部２０３の強度を変化させることなく、鉤凹部２０７を備えることができる。
【００６２】
（４）連結凸部１０４を分割コア１０側に突出することによって、鉤凸部１０７は分割コア１０側に形成される。このように形成することよって、鉤凸部１０７は他の部材などとの引っかかりを抑制することが可能となる。よって、製造時の連結部の信頼性が高まる。また、インシュレータ部材１２を連結し分割コア１０を装着しさらにハウジング４に収容すると連結凸部１０４は連結凹部２０４と分割コア１０の分割コア環状部１１とハウジング４とに囲まれる。よって、連結凸部１０４が折損しても離脱することを防止することができる。
【００６３】
（５）連結回動部１３を回動中心として分割コア１０同士を相対回動させることができる。よって、近接する分割コア１０のティース部８の端部の間隔を広くすることが可能となり、巻線６の巻装が容易となる。
【００６４】
尚、本発明の実施形態は、以下のように変更してもよい。
○上記実施形態では、１２個の分割コア１０から構成されるステータコア７としたが、その他の個数の分割コアから構成されるステータコアに変更してもよい。尚、勿論、この場合、第１及び第２インシュレータ部材１００，２００の個数も変更する必要がある。
【００６５】
○上記実施形態では、凸部円弧面１０５を形成する円弧の半径を分割コア環状部１１（図１）の幅の略１／２とした。しかし、必ずしも略１／２とする必要はなく、分割コア環状部１１の径方向幅内に収まる範囲で変更しても良い。
【００６６】
○上記実施形態では、連結凸部１０４もしくは連結凹部２０４のみをその両端に備えたインシュレータ部材１２を交互に配設することによってインシュレータ５を形成した。しかし、一端に連結凸部１０４を備え、他端に連結凹部２０４を備えたインシュレータ部材からインシュレータを構成することもできる。
【００６７】
○上記実施形態では、連結凸部１０４をコアティース被覆部１０１の周方向側面を被覆する面１０１ｂの延びる方向（図３において下方向）へ突出させた。しかし、連結凸部１０４を実施形態とは逆の方向に突出させても、半円弧未満の円弧から形成すれば許容される幅内で突出面積の大きく強度をもった連結凸部１０４を備えることができる。
【００６８】
○上記実施形態では、連結凹部２０４を軸方向に貫通する穴とした。しかし、必ずしも貫通させる必要はない。例えば、連結凹部２０４に底を備えてもよい。この場合、連結凸部１０４の回動は許容されるとともに、所定の角度以外では連結回動部１３（１０３，２０３）の連結は解除されない。さらに、連結凸部１０４が折損しても連結凹部２０４とその底部から構成される空間内にその折損片が保持されるため離脱を防ぐことができる。
【００６９】
○上記実施の形態では、分割コア１０の周方向端部は隣接する分割コア同士の回動が案内される円弧凹凸状に形成されるとした。しかし、少なくとも、インシュレータ５の連結回動部１３の回動中心と同軸上に配設される回動中心で分割コア同士が回動可能で、環状に配列したときに分割コア１０同士が周方向に当接するように形成されていればよい。
【００７０】
○上記実施の形態では、第１及び第２インシュレータ部材１００，２００の嵌合状態はコアティース被覆部１０１，２０１が外周側に延びる配列とした（図６参照）。しかし、他の角度、例えば、図７に示す状態と図８に示す状態の間の角度に変更してもよい。尚、その場合、勿論、鉤凸部１０７及び鉤凹部２０７の少なくとも一方の延びる方向を変更する必要がある。
【００７１】
上記各実施形態から把握できる技術的思想を以下に記載する。
（イ）請求項５に記載のインシュレータにおいて、前記鉤凸部は、前記連結凸部の突出方向端部側に配設される。本発明によれば、鉤凸部から軸方向端部側に突出していない。よって、連結凸部と他の部材等とが接触することを抑制することが可能となり、連結凸部の折損する恐れを低減することができる。
【００７２】
（ロ）請求項１〜８のいずれか１項に記載のインシュレータにおいて、前記連結凸部は、前記環状被覆部の周方向一端に形成され、前記連結凹部は前記環状被覆部の周方向他端に形成される。本発明によれば、一端に連結凸部を備え、多端に連結凹部を備えたインシュレータを得ることができる。よって、隣接するインシュレータ同士の連結凸部と連結凹部とを連結することで、分割コア同士を相対回動可能に連結し巻線の巻装を容易とすることのできるインシュレータを得ることができる。
【００７３】
（ハ）請求項１〜８のいずれか１項に記載のインシュレータにおいて、前記連結凸部または前記連結凹部は、前記環状被覆部の周方向両端に形成される。本発明によれば、両端に連結凸部を備えたインシュレータと、両端に連結凹部を備えたインシュレータとを得ることができる。よって、これらを交互に配列し隣接するインシュレータ同士の連結凸部と連結凹部とを連結することで、分割コア同士を相対回動可能に連結し巻線の巻装を容易とすることのできるインシュレータを得ることができる。
【図面の簡単な説明】
【００７４】
【図１】本発明に係るインシュレータを用いたモータを示す断面図。
【図２】本発明に係る第１インシュレータ部材の平面図。
【図３】本発明に係る第１インシュレータ部材の斜視図。
【図４】本発明に係る第２インシュレータ部材の平面図。
【図５】本発明に係る第２インシュレータ部材の斜視図。
【図６】本発明に係るインシュレータの平面図。
【図７】図６のＡ−Ａ断面図。
【図８】本発明に係るインシュレータの平面図。
【図９】本発明に係るインシュレータの平面図。
【符号の説明】
【００７５】
１…モータとしてのブラシレスモータ、２…ステータ、５…インシュレータ、６…巻線、７…コアとしてのステータコア、８…ティース部、９…環状部、１０…分割コア、１１…分割環状部、１２，１００，２００…インシュレータ部材、１３，１０３，２０３…連結回動部、１０１，２０１…コアティース被覆部、１０２，２０２…環状被覆部、１０２ｄ，２０２ｄ…周方向端部、１０４…連結凸部、１０５…回動案内面としての凸部円弧面、１０７…鉤凸部、２０４…連結凹部、２０５…回動案内面としての凹部円弧面、２０７…鉤凹部。
【図１】
2006115685.tif 000003
【図２】
2006115685.tif 000004
【図３】
2006115685.tif 000005
【図４】
2006115685.tif 000006
【図５】
2006115685.tif 000007
【図６】
2006115685.tif 000008
【図７】
2006115685.tif 000009
【図８】
2006115685.tif 000010
【図９】
2006115685.tif 000011